(57)【要約】【課題】一般住宅等の庭やその住宅周辺の壁沿いの路地、あるいは窓の下その他の地面に敷置して、捕足網の繊維を侵入者等の足に絡ませ、侵入者等の逃亡等を効果的に防止する住宅用ことができる。また、強度が高く、高信頼性を得ることができ、しかも構成は簡易で製作等も容易であり、使用時においても簡便な操作で容易に設置する提供する。【解決手段】高引張強度の細い繊維を交錯させて、住宅の庭や路地等の地面に這わせて敷設するベース網４を構成し、このベース網４の網の目５の少なくともいずれか一方の側の繊維２，３上に柔軟性を有する細い繊維６をそれぞれ接合して、その接合点７間の部分をもって、ループ状に立上がる捕足網８を形成させることにより、網の目に踏み入る侵入者等の足を捕足網８に絡ませて、その歩行を阻害するようにする。【選択図】        図１
2004199246.tif 000002
【特許請求の範囲】
【請求項１】
高引張強度の細い繊維を交錯させて、住宅の庭や路地等の地面に這わせて敷設するベース網を構成し、このベース網の網の目の少なくともいずれか一方の側の繊維上に柔軟性を有する細い繊維をそれぞれ接合して、その接合点間の部分をもって、ループ状に立上がる捕足網を形成させることにより、網の目に踏み入る侵入者等の足を前記捕足網に絡ませて、その歩行を阻害するようにしたことを特徴とする住宅用防犯ネット。
【請求項２】
捕足網の網の目の幅を、２５０ｍｍ以上、４００ｍｍ以下に設定したことを特徴とする請求項１記載の住宅用防犯ネット。
【請求項３】
ベース網の周縁に、固定設置用の枠状索を設けたことを特徴とする請求項１または２記載の住宅用防犯ネット。
【請求項４】
枠状索に、アンカーもしくはブザー等の報知機、またはその両方を兼用する部材を取付けたことを特徴とする請求項３記載の住宅用防犯ネット。
【請求項５】
枠状索に、複数のベース網を接続するための接続具を取付けたことを特徴とする請求項３または４記載の住宅用防犯ネット。
【発明の詳細な説明】
【０００１】
【発明の属する技術分野】
本発明は、例えば住宅の庭や壁沿いの路地、あるいは窓の下等に敷設して、侵入者等の足を絡ませることにより、その侵入や逃亡を防止するようにした捕足式の住宅用防犯ネットに関する。
【０００２】
【従来の技術】
従来、建物等に侵入する窃盗者等に対し、その侵入あるいは逃亡を妨害するための種々の防犯ネットが提案されている。
【０００３】
例えば、一定空間を覆う水平なネットを建物の天井に設置し、必要時に落下させて侵入者を捕獲する防犯用ネット（特許文献１参照）、あるいは建物の出入口の扉部分や店舗のレジカウンタ付近に縦型のネットを配置して、通行を阻害する防犯用ネット（特許文献２または３参照）等が知られている。
【０００４】
【特許文献１】
特開平０７−０５４５４４号公報(図１等)
【特許文献２】
特開２０００−１１０４４１号公報(図１等)
【特許文献３】
特開２０００−０９０４３４号公報(図１等)
【０００５】
【発明が解決しようとする課題】
しかし、上述した従来のものは、主として店舗ビルのような大型の建物用であり、一般の住宅における庭や、壁沿いの路地、あるいは窓の下等から、建物に侵入したり逃亡したりする侵入者を防止する設備としては、必ずしも適していない。
【０００６】
本発明は、従来の技術が有する上記のような問題点に鑑み、一般住宅等の庭やその住宅周辺の壁沿いの路地、あるいは窓の下、その他の地面に敷置して、侵入者等の足を絡ませることにより、その逃亡等を効果的に防止することができる住宅用防犯ネットを提供することを目的としている。
【０００７】
【課題を解決するための手段】
本発明によると、上記課題は、次のようにして解決される。
（１）高引張強度の細い繊維を交錯させて、住宅の庭や路地等の地面に這わせて敷設するベース網を構成し、このベース網の網の目の少なくともいずれか一方の側の繊維上に柔軟性を有する細い繊維をそれぞれ接合して、その接合点間の部分をもって、ループ状に立上がる捕足網を形成させることにより、網の目に踏み入る侵入者等の足を前記捕足網に絡ませて、その歩行を阻害するようにする。
【０００８】
（２）上記(１)項において、捕足網の網の目の幅を、２５０ｍｍ以上、４００ｍｍ以下に設定する。
【０００９】
（３）上記(１)または(２)項において、ベース網の周縁に、固定設置用の枠状索を設ける。
【００１０】
（４）上記(３)項において、枠状索に、アンカーもしくはブザー等の報知機、またはその両方を兼用する部材を取付ける。
【００１１】
（５）上記(３)項または(４)項において、枠状索に、複数のベース網を接続するための接続具を取付ける。
【００１２】
【発明の実施の形態】
図１は、本発明の一実施形態の使用状態を示す斜視図であり、図２は同ネットの平面図、図３は同側面図である。
【００１３】
図１〜図３に示すように、この住宅用防犯ネット(１)は、樹脂等のフィラメント繊維、例えば釣用のテグス糸等からなる高引張強度の細い縦横の繊維(２)(３)を格子状に交錯させて構成したベース網(４)を有している。このベース網(４)は、例えば角を丸めた長方形状に構成されており、住宅の庭や壁に沿う路地、あるいは窓の下等の地面に這わせて敷設することができるようになっている。
【００１４】
ベース網(４)を構成する繊維(２)(３)は、高引張強度を有し、大人の脚力や腕力によっては容易に切断することができないものとされている。
【００１５】
ベース網(４)の格子間隙間である網の目(５)の幅ａは、例えば縦横とも２５０ｍｍ以上、４００ｍｍ以下に設定されており、これにより、人間の足の少なくとも一部または全部が、いずれの向きを向いていても、網の目(５)内に嵌り得る構成となっている。
【００１６】
ベース網(４)の周縁には、ベース網(４)を構成する繊維よりも太いテグス糸等からなる更に引張強度等が高い固定設置用の枠状索(4a)が一体的に設けられている。
【００１７】
ベース網(４)の各網の目(５)を囲む縦横の繊維(２)(３)上には、それぞれ繊維の方向および交錯点を一致させる配置で、柔軟な細い繊維(６)を上向きに弛緩させた状態で接合することにより、その接合点(７)間の部分がループ状に立上る捕足網(８)が形成されている。
【００１８】
この捕足網(８)を形成する繊維(６)は、例えば霞網等として適用されている繊維と同質のものであり、軽量かつ高強度で柔軟性に富み、しかも黒色等で比較的見えにくく、夜間においては殆ど見えないものとされている。
【００１９】
捕足網(８)となる繊維(６)をループ状に立上がらせる手段としては、接合時の繊維の向き、あるいは繊維の種類、撚り等を種々に設定すればよい。なお、図示の例では、捕足網(８)の各繊維が半円ループ状として立上がる構成としてあるが、これに限らず、例えば複数の円、楕円その他の形状として立上がらせ、横向きのチェーンの如く連続する構成として、種々変形させることができる。
【００２０】
また、図示の例では、捕足網(８)となる繊維(６)を、ベース網(４)の網の目(５)を囲む縦横両側の繊維(２)(３)に対し、その配置および向きをほぼ一致させて、縦横両方向に配置したが、これに限らず、ベース網(４)の縦横繊維(２)(３)のいずれか一方の繊維、すなわち網の目(５)の一方の側の繊維にのみ沿わせる配置としてもよい。
【００２１】
捕足網(８)を形成することにより、網の目(５)に踏み入る侵入者等の足は捕足網(８)に絡まれ、その歩行は阻害される。特に捕足網(８)の網の目(５)の幅を、２５０ｍｍ以上、４００ｍｍ以下に設定することにより、ほとんどすべての侵入者の歩行を効果的に阻害することができる。
【００２２】
ベース網(４)の周縁に設けられた固定設置用の枠状索(4a)の各角隅部には、引出し索(９)を介して、アンカーおよびブザー等の報知機の両方を兼用する部材(10)が取付けられている。アンカー(10a)は、その配置により、枠状索(4a)を周辺外方に向く張力を与えることができ、これにより安定設置機能が得られる。
【００２３】
また、ブザー(10b)は、例えばアンカー(10a)内に埋設されており、引出し索(4a)に大きい張力や衝撃荷重が作用した場合にスイッチオンとなり、所定の報知音を発することができるようになっている。なお、アンカー(10a)もしくはブザー(10b)等の報知機のいずれか一方だけを取付けてもよい。
【００２４】
また、枠状索(4a)には、複数のベース網(４)を接続するための接続具(11)、例えばフック等が取付けられている。この接続具を使用して、複数の住宅用防犯ネット(１)を接続することにより、幅や長さを増大させることができる。
【００２５】
図１は、庭の芝生(12)の上に住宅用防犯ネット(１)を配備した例を示している。この図１に示すように、ベース網(４)および枠状索(4a)は、芝生(12)の生え際の地面位置に這う状態で設置され、外部から隠れた状態となっている。この枠状索(4a)が、アンカー(10a)およびブザー(10b)を兼用する部材(10)により、周辺外方に向って引張られ、これにより、ベース網(４)は地面上に安定設置される。
【００２６】
一方、捕足網(８)は、芝生(12)の上方にループ状に立上がり、芝生(12)の上を歩行する者の足の一部または全部が捕足網(８)に引掛り易くなっている。この捕足網(８)は、暗黒色等の見えにくい色の繊維(６)により構成してあるので、侵入者等が気付き難い。
【００２７】
したがって、侵入者等にとっては、比較的太い枠状索(4a)およびベース網(４)が芝生(12)の根元の地面に這う状態であるため見難く、かつ芝生(12)の上方に、ループ状に立上がる捕足網(８)も見え難いため、庭等に設置された住宅用防犯ネット(１)の存在は、特に夜間等において気付きにくく、庭等に踏み入る侵入者は、補足網(８)に足を絡ませ易い。
【００２８】
侵入者等が住宅用防犯ネット(１)に足を絡ませた場合には、歩行困難な状態となり、転倒したり、足を外すことに手間取ることになり、逃亡等を阻害することが可能となる。また、この場合の衝撃等によりブザー(10b)による報知音が発せられるので、家人や周辺の住人や通行人によって効果的に探知される。
【００２９】
なお、以上の実施形態の構成は一例であって、ベース網(４)および補足網(８)の形状や寸法、その繊維本数、素材等については、種々の変更が可能である。
【００３０】
例えばベース網(４)を任意の輪郭形状としたり、網形状を格子状ではなく、多角形網状として構成することも可能である。また、本実施形態では、網の目(５)を矩形状とし、その一辺の寸法を２５０ｍｍ以上、４００ｍｍ以下としたが、これは最も望ましい例であって、ある程度の寸法の増減等が可能なことは勿論である。また、ベース網(４)を一定以上の広い面積とする場合には、枠状索(4a)を省略することもできる。
【００３１】
【発明の効果】
請求項１記載の発明によれば、一般住宅等の庭やその住宅周辺の壁沿いの路地、あるいは窓の下その他の地面に敷置して、捕足網の繊維を侵入者等の足に絡ませ易くすることができ、侵入者等の逃亡等を効果的に防止することができる。また、強度が高く、高信頼性を得ることができ、しかも構成は簡易で製作等も容易であり、使用時においても簡便な操作で容易に設置することができる。
【００３２】
請求項２記載の発明によれば、侵入者等の足を絡ませ易くすることができ、逃亡等をより確実に防止することが可能となる。
【００３３】
請求項３記載の発明によれば、枠状索により網状体全体を広げやすくなり、ネットの設置が容易となり、また設置状態が安定し易くなる。
【００３４】
請求項４記載の発明によれば、アンカーにより住宅用防犯ネットの設置が安定し、また侵入者等による引張力への対抗力を増大することができる。また、ブザー等の報知機により侵入等を即座に知ることができる。アンカーおよび報知機を兼用し、また併設した場合には上記の両機能を同時に得ることができる。
【００３５】
請求項５記載の発明によれば、任意数の接続により縦横寸法の拡大が容易に行なえるようになる。
【図面の簡単な説明】
【図１】本発明の一実施形態の使用状態を示す斜視図である。
【図２】同じく、住宅用防犯ネットの構成を示す平面図である。
【図３】同じく、住宅用防犯ネットの構成を示す側面図である。
【符号の説明】
(１) 住宅用防犯ネット
(２)(３) 繊維
(４) ベース網
(4a) 枠状索
(５) 網の目
(６) 繊維
(７) 接合点
(８) 捕足網
(９) 引出し索
(10) アンカーおよび報知機を兼用する部材
(10a) アンカー
(10b) ブザー
(11) 接続具
【図１】
2004199246.tif 000003
【図２】
2004199246.tif 000004
【図３】
2004199246.tif 000005